(57)【特許請求の範囲】
【請求項１】
内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、
前記サイマル映像の映像フォーマットについての優先度を定める優先度情報を記憶する記憶部と、
前記サイマル映像のうちの１つを、前記優先度情報に基づいて選択する選択部と、
前記選択部が選択した映像を表示部に表示させる映像処理部と、
を備え、
前記優先度情報は、前記サイマル映像の解像度、前記サイマル映像のフレームレート、前記サイマル映像の走査方式の順に高い優先順位を対応付けた情報であることを特徴とする受信装置。
【請求項２】
自装置とは異なる他の装置と通信し、前記放送受信部が受信する前記サイマル映像と同一の前記サイマル映像群に含まれるサイマル映像のうち、少なくとも１つのサイマル映像を受信する通信部
をさらに備え、
前記選択部は、前記放送受信部と前記通信部とにより受信される前記サイマル映像のうちの１つを選択する、
ことを特徴とする請求項１に記載の受信装置。
【請求項３】
前記サイマル映像群を選択する操作を受け付ける操作受付部と、
前記選択部は、前記表示部に表示されている映像とは内容が異なる映像により構成される前記サイマル映像群を選択する操作を前記操作受付部が受け付けた場合に、前記選択された前記サイマル映像群に含まれる前記サイマル映像のうちの１つを選択する
ことを特徴とする請求項１または請求項２に記載の受信装置。
【請求項４】
前記選択部は、自装置と前記他の装置との通信における通信速度に基づく前記サイマル映像の候補のうち、解像度が最も高いサイマル映像を表示対象として選択する
ことを特徴とする請求項２に記載の受信装置。
【請求項５】
前記選択部は、前記サイマル映像のうち、前記表示部の表示能力を超えない映像フォーマットのサイマル映像を選択する
ことを特徴とする請求項１から請求項４のいずれか一項に記載の受信装置。
【請求項６】
内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、前記サイマル映像の映像フォーマットについての優先度を定める優先度情報を記憶する記憶部と、表示部と、を備える受信装置における映像表示方法であって、
前記受信装置が、前記サイマル映像のうちの１つを、前記記憶部に記憶されている優先度情報に基づいて選択する選択ステップと、
前記受信装置が、前記選択ステップにおいて選択した映像を表示部に表示させる映像処理ステップと、
を含み、
前記優先度情報は、前記サイマル映像の解像度、前記サイマル映像のフレームレート、前記サイマル映像の走査方式の順に高い優先順位を対応付けた情報であることを特徴とする映像表示方法。
【請求項７】
内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、前記サイマル映像の映像フォーマットについての優先度を定める優先度情報を記憶する記憶部と、表示部と、を備える受信装置のコンピュータに、
前記サイマル映像のうちの１つを、前記記憶部に記憶されている優先度情報に基づいて選択する選択ステップ、
前記選択ステップにおいて選択した映像を表示部に表示させる映像処理ステップ、
を実行させるためのプログラムであって、
前記優先度情報は、前記サイマル映像の解像度、前記サイマル映像のフレームレート、前記サイマル映像の走査方式の順に高い優先順位を対応付けた情報であることを特徴とするプログラム。
【発明の詳細な説明】
【技術分野】
【０００１】
本発明は、受信装置、映像表示方法、及びプログラムに関する。
【背景技術】
【０００２】
従来、放送サービスの１つとしてサイマル放送（同時並行放送、simulcast、simultaneous broadcasting）が行われてきた。サイマル放送とは、１つの放送局が同じ時間帯に同じ内容の番組を、異なるチャンネル（周波数）、放送方式、放送媒体で伝送する放送サービスである。
【０００３】
他方、近年では、高精細度テレビジョン放送（ＨＤＴＶ、High-Definition Television）を超える飛躍的な高画質化に資する映像技術等の研究開発や国際標準化が進められている。具体的には、一般社団法人電波産業会（ＡＲＩＢ、Association of Radio Industries and Business）により、４Ｋ（例えば、３８４０×２１６０画素）・８Ｋ（例えば、７６８０×４３２０画素）の超高解像度に対応した超高精細度テレビジョン放送（ＵＨＤＴＶ、Ultra High-Definition Television）の規格化が進められている（例えば、非特許文献１）。
このような超高精細度テレビジョン放送の開始に伴い、同じ内容の番組について、映像フォーマットが互いに異なる複数の映像を、放送や通信を介して伝送するサイマル放送が考えられる。
【先行技術文献】
【非特許文献】
【０００４】
【非特許文献１】「デジタル放送におけるＭＭＴによるメディアトランスポート方式  標準規格  MMT-BASED MEDIA TRANSPORT SCHEME IN DIGITAL BROADCASTING SYSTEMS  ARIB STD-B60  1.0版」，平成２６年（２０１４年）７月３１日，一般社団法人電波産業会
【発明の概要】
【発明が解決しようとする課題】
【０００５】
上述のようなサイマル放送が行われた場合、複数の映像のうち表示する映像を選択する必要がある。この選択は、ユーザの操作により行われることが考えられる。しかしながら、この場合、ユーザは必ずしも受信装置が表示可能な高精細度の映像を選択できるとは限らない。また、ユーザが高精細度の映像を選択できるとしても、そのための煩雑な操作を行わなければならない。このように、従来は、サイマル放送サービスにより提供される番組の表示において、利便性が良くなかった。
【０００６】
本発明は上記の点に鑑みてなされたものであり、サイマル放送サービスにより提供される番組の表示における利便性を向上させることのできる受信装置、映像表示方法、及びプログラムを提供する。
【課題を解決するための手段】
【０００７】
（１）本発明は上記の課題を解決するためになされたものであり、本発明の一態様は、内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、前記サイマル映像の映像フォーマットについての優先度を定める優先度情報を記憶する記憶部と、前記サイマル映像のうちの１つを、前記記憶部に記憶されている優先度情報に基づいて選択する選択部と、前記選択部が選択した映像を表示部に表示させる映像処理部と、を備えることを特徴とする受信装置である。
【０００８】
（２）また、本発明の一態様は、内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、前記サイマル映像の映像フォーマットについての優先度を定める優先度情報を記憶する記憶部と、表示部と、を備える受信装置における映像表示方法であって、前記受信装置が、前記サイマル映像のうちの１つを、前記記憶部に記憶されている優先度情報に基づいて選択する選択ステップと、前記受信装置が、前記選択ステップにおいて選択した映像を表示部に表示させる映像処理ステップと、を含むことを特徴とする映像表示方法である。
【０００９】
（３）また、本発明の一態様は、内容が同一の映像であって、映像フォーマットが互いに異なる複数のサイマル映像により構成されるサイマル映像群に含まれるサイマル映像のうち、少なくとも１つのサイマル映像を含む放送波を受信する放送受信部と、前記サイマル映像の映像フォーマットについての優先度を定める優先度情報を記憶する記憶部と、表示部と、を備える受信装置のコンピュータに、前記サイマル映像のうちの１つを、前記記憶部に記憶されている優先度情報に基づいて選択する選択ステップ、前記選択ステップにおいて選択した映像を表示部に表示させる映像処理ステップ、を実行させるためのプログラムである。
【発明の効果】
【００１０】
本発明の実施形態によれば、サイマル放送サービスにより提供される番組の表示における利便性を向上させることができる。
【図面の簡単な説明】
【００１１】
【図１】本発明の実施形態に係る放送システムの概要を示す第１図である。
【図２】同実施形態に係る放送システムの概要を示す第２図である。
【図３】同実施形態に係る放送システムの概略構成の一例を示すブロック図である。
【図４】同実施形態に係るＭＭＴパッケージテーブルのデータ構造の一例を示す概略図である。
【図５】同実施形態に係る映像コンポーネント記述子のデータ構造の一例を示す概略図である。
【図６】同実施形態に係る映像信号解像度の設定例を示す図である。
【図７】同実施形態に係る映像信号フレームレートの設定例を示す図である。
【図８】同実施形態に係るコンポーネントグループ記述子のデータ構造の一例を示す概略図である。
【図９】同実施形態に係る受信装置の概略機能構成を示すブロック図である。
【図１０】同実施形態に係る優先度テーブルの一例を示す図である。
【図１１】同実施形態に係る受信装置による処理の流れの一例を示すフローチャートである。
【図１２】本発明の第２の実施形態に係るＭＨ−イベント情報テーブルの一例を示すフローチャートである。
【図１３】同実施形態に係る受信装置による処理の流れの一例を示すフローチャートである。
【図１４】本発明の第４の実施形態に係る優先度テーブルの変形例を示す図である。
【図１５】本発明の各実施形態に係る受信装置のハードウェア構成の一例を示すブロック図である。
【発明を実施するための形態】
【００１２】
（第１の実施形態）
［放送システムの概要］
以下、図面を参照しながら本発明の第１の実施形態について説明する。
図１及び図２は、本実施形態に係る放送システムの概要を示す図である。
本実施形態に係る放送システムは、ある番組についてサイマル放送サービスを提供するシステムである。以下では、サイマル放送される番組を、サイマル番組と称する。また、以下では、サイマル番組を示す個々の映像（放送メディア）のことをサイマル映像と称する。本実施形態において、１つのサイマル番組を示す複数のサイマル映像は、それぞれ、その映像フォーマットが異なる。ここで、映像フォーマットとは、映像の精細度に関する映像の解像度、フレームレート、及び走査方式を含む。従って、本実施形態において、映像フォーマットが異なるとは、映像の解像度、フレームレート、及び走査方式のうちの少なくともいずれか１つが異なることをいう。また、以下では、１つのサイマル番組を示す複数のサイマル映像をサイマル映像群と称する。つまり、あるサイマル映像群に含まれる複数のサイマル映像は、全て同一の内容を示すが、その映像フォーマットは互いに異なっている。
【００１３】
本実施形態に係る放送システムにおいて、受信装置１０は、放送と通信とを介して、１つのサイマル映像群に含まれる複数のサイマル映像を取得することができる。そして、受信装置１０は、取得可能な複数のサイマル映像のうち、いずれか１つを選択して表示する。このとき、受信装置１０は、例えば、複数のサイマル映像のうち、最も高精細度の映像を選択する。
【００１４】
次に、受信装置によるサイマル映像の選択と表示との具体例について説明する。
図１に示す例において、サイマル番組は、３つの映像フォーマットにより受信装置１０に提供されている。具体的には、受信装置１０は、放送衛星ＢＳから送信される放送波により、解像度が４Ｋ（例えば、３８４０×２１６０画素）、フレームレートが６０［Ｈｚ］、走査方式がプログレッシブ方式であるサイマル映像（４Ｋ：６０ｐ）と、解像度が２Ｋ（例えば、１９２０×１０８０画素）、フレームレートが６０［Ｈｚ］、走査方式がインターレース方式であるサイマル映像（２Ｋ：６０ｉ）との２つのサイマル映像を取得することができる。また、受信装置１０は、ネットワークＮＷから、解像度がＳＤ（Standard definition）（例えば、７２０×４８０画素）、フレームレートが６０［Ｈｚ］、走査方式がインターレース方式であるサイマル映像を取得することができる。この場合、受信装置１０は、これら３つのサイマル映像のうち、例えば、解像度が最も高いサイマル映像（４Ｋ：６０ｐ）を選択して表示する。
【００１５】
図２に示す例において、サイマル番組は、３つの映像フォーマットにより受信装置１０に提供されている。具体的には、受信装置１０は、放送衛星ＢＳから送信される放送波により、解像度が８Ｋ（例えば、７６８０×４３２０画素）、フレームレートが６０［Ｈｚ］、走査方式がプログレッシブ方式であるサイマル映像（８Ｋ：６０ｐ）を取得することができる。また、受信装置１０は、ネットワークＮＷから、解像度が８Ｋ、フレームレートが１２０［Ｈｚ］、走査方式がプログレッシブ方式であるサイマル映像（８Ｋ：１２０ｐ）と、解像度がＳＤ（例えば、７２０×４８０画素）、フレームレートが６０［Ｈｚ］、走査方式がインターレース方式であるサイマル映像との２つのサイマル映像を取得することができる。この場合、これら３つのサイマル映像のうち、放送により伝送されるサイマル映像（８Ｋ：６０ｐ）と、通信により伝送されるサイマル映像（８Ｋ：１２０ｐ）との解像度がどちらも同じく高い。従って、受信装置１０は、この２つのサイマル映像のうち、例えば、フレームレートが高いサイマル映像（８Ｋ：１２０ｐ）を選択して表示する。
【００１６】
［放送システムの構成］
次に、放送システムの構成について説明する。
図３は、放送システム１の概略構成の一例を示すブロック図である。
放送システム１は、受信装置１０と、放送側送信装置２０と、通信側送信装置３０と、を含んで構成される。このうち、放送側送信装置２０は、放送衛星ＢＳを介して、放送波により受信装置１０への各種情報の伝送を行う。また、受信装置１０と通信側送信装置３０とは、ネットワークＮＷに接続されており、双方向の通信を行うことができる。また、ここでは、放送側送信装置２０と通信側送信装置３０とが、同一の放送事業者ＢＣにより管理される場合について説明する。また、以下では、一例として、放送システム１がメディアトランスポート方式としてＭＭＴ（MPEG Media Transport）方式を用いる場合について説明する。
【００１７】
ネットワークＮＷは、ＷＡＮ（Wide Area Network）及びＬＡＮ（Local Area Network）などによって構成される情報通信ネットワークである。ＷＡＮは、例えば、携帯電話網、ＰＨＳ（Personal Handy-phone System）網、ＰＳＴＮ（Public Switched Telephone Network；公衆交換電話網）、専用通信回線網、及びＶＰＮ（Virtual Private Network）などによって構成される。ネットワークＮＷによる情報の伝送形態は、無線、有線、又はそれらの組み合わせである。以下では、ネットワークＮＷを介した双方向の情報の送受信を、単に「通信」と称する。これに対し、放送側送信装置２０から受信装置１０への一方向の情報の送信を「放送」と称し、上述の「通信」と区別する。
【００１８】
なお、放送システム１において、受信装置１０と、放送側送信装置２０と、通信側送信装置３０とは、それぞれ複数存在しうる。ここでは、一例として、放送システム１において、受信装置１０と、放送側送信装置２０と、通信側送信装置３０とが、それぞれ１つずつ含まれる場合について説明する。
【００１９】
放送側送信装置２０は、第１サイマル映像ｉ１を示す情報と、伝送制御信号ｉ３とを含む放送波を送出することができる。放送側送信装置２０から送信された放送波は、地上波を用いるか、ケーブルのような有線伝送路を介するか、又は放送衛星ＢＳを介するかして受信装置１０に伝送される。以下では、放送波が放送衛星ＢＳを介して伝送される場合について説明する。
通信側送信装置３０は、ネットワークＮＷを介して受信装置１０と通信を行うサーバー装置などの電子機器である。通信側送信装置３０は、通信により、第２サイマル映像ｉ２を受信装置１０に送信することができる。
【００２０】
ここで、第１サイマル映像ｉ１と第２サイマル映像ｉ２とは、同一のサイマル映像群に含まれるサイマル映像である。放送側送信装置２０は、例えば図１に示すように、１つのサイマル番組について、複数のサイマル映像を含む放送波を送出してよい。また、通信側送信装置３０は、例えば図２に示すように、１つのサイマル番組について、複数のサイマル映像を送信してよい。以下では、一例として、放送側送信装置２０が１つの第１サイマル映像ｉ１を送出し、通信側送信装置３０が１つの第２サイマル映像ｉ２を送信する場合について説明する。
また、伝送制御信号ｉ３とは、番組の構成を示す情報である。また、伝送制御信号ｉ３とは、具体的には、ＭＭＴ方式におけるＭＭＴ−ＳＩである。以下では、伝送制御信号ｉ３がＭＭＴ−ＳＩである場合について説明する。ＭＭＴ−ＳＩには、例えば、ＭＭＴパッケージテーブルが含まれる。ＭＭＴ−ＳＩに含まれる情報については、後述する。
【００２１】
受信装置１０は、番組を再生可能な電子機器である。以下では、一例として、受信装置１０とは、テレビジョン受像機（テレビ）であるとして説明する。受信装置１０は、放送（ＢＳ放送）を介して、第１サイマル映像ｉ１と、伝送制御信号ｉ３とを取得することができる。また、受信装置１０は、通信（ネットワークＮＷを介する通信）を介して、第２サイマル映像ｉ２を取得することができる。また、受信装置１０は、その記憶部１６（図９）に優先度情報ｉ４を記憶している。ここで、優先度情報ｉ４とは、サイマル映像の映像フォーマットについての優先度を定める情報である。本実施形態に係る優先度情報ｉ４は、一例として、精細度が高い映像フォーマットに対して高い優先度を定める。また、以下では、優先度情報ｉ４は、テーブル形式の優先度テーブルである場合について説明する。優先度テーブルについては、後述する。
【００２２】
受信装置１０は、伝送制御信号ｉ３と優先度情報ｉ４とに基づいて、自装置が取得可能な第１サイマル映像ｉ１と第２サイマル映像ｉ２とのうちのいずれか１つを選択する。具体的には、受信装置１０は、伝送制御信号ｉ３を参照し、自装置が取得可能な第１サイマル映像ｉ１と第２サイマル映像ｉ２との映像フォーマットを特定する。次に、受信装置１０は、優先度情報ｉ４を参照し、第１サイマル映像ｉ１の映像フォーマットと第２サイマル映像ｉ２の映像フォーマットとのうち、優先度の高い映像フォーマットを特定する。そして、受信装置１０は、第１サイマル映像ｉ１と第２サイマル映像ｉ２とのうち、優先度の高い映像フォーマットのサイマル映像を選択し、選択したサイマル映像を表示する。上述したように、本実施形態に係る優先度情報ｉ４は、精細度が高い映像フォーマットに対して高い優先度を定めるため、受信装置１０は、第１サイマル映像ｉ１と第２サイマル映像ｉ２とのうち精細度の高い映像を表示する。これにより、受信装置１０のユーザは、サイマル番組の視聴において、特別な操作を行うことなく、精細度の高い映像を視聴することができる。
【００２３】
［ＭＭＴ−ＳＩ］
次に、ＭＭＴ−ＳＩについて説明する。ここでは、ＭＭＴ−ＳＩに関しては、ＭＭＴパッケージテーブル（ＭＰＴ）と、映像コンポーネント記述子と、コンポーネントグループ記述子とについての説明に留めるが、放送システム１は、ＭＭＴ方式に係る全てのメッセージ、テーブル、及び記述子などの情報を扱うことができる。
【００２４】
［ＭＰパッケージテーブル（ＭＰＴ）のデータ構造］
まず、図４を参照してＭＰＴのデータ構造について説明する。
ＭＰＴは、アセットのリストやアセットのネットワーク上の位置など、パッケージを構成する情報を与えるテーブルである。ここでアセットとは、ＭＭＴ方式におけるデータ単位の１つである。
図４は、本実施形態に係るＭＰＴのデータ構造を示す概略図である。
図４に示す例において、ＭＰＴ（MMT_Package_Table()）は、アセットごとに、アセット記述子領域（asset_descriptors_byte）と、ロケーション情報（MMT_general_location_info()）とを含む。
アセット記述子領域は、アセットについての情報を記述する記述子を格納する領域である。具体的には、サイマル映像の場合、アセット記述子領域には、映像コンポーネント記述子と、コンポーネントグループ記述子とが含まれる。
ロケーション情報は、アセットの取得先を示す。従って、受信装置１０は、ロケーション情報を参照することにより、サイマル映像が放送を介して伝送されるのか、通信を介して伝送されるのかを認識することができる。
【００２５】
［映像コンポーネント記述子のデータ構造］
次に、図５〜図７を参照して、映像コンポーネント記述子について説明する。
映像コンポーネント記述子は、映像コンポーネントに関するパラメータや説明を示し、エレメンタリストリームを文字形式で表現するためにも利用される。
図５は、本実施形態に係る映像コンポーネント記述子のデータ構造を示す概略図である。
図５に示す例において、映像コンポーネント記述子（Video_Component_Descriptor()）は、映像信号解像度（video_resolution）と、映像スキャンフラグ（video_scan_flag）と、映像信号フレームレート（video_frame_rate）とを含む。
【００２６】
映像信号解像度は、映像信号の垂直方向の解像度を表す。映像信号解像度の値の設定例を図６に示す。図６に示す例では、映像信号解像度の値が「３」の場合、映像信号の垂直方向の解像度は、「４８０」であり、ＳＤの解像度であることを表す。また、映像信号解像度の値が「６」の場合、映像信号の垂直方向の解像度は、「２１６０」であり、４Ｋの解像度であることを表す。また、映像信号解像度の値が「７」の場合、映像信号の垂直方向の解像度は、「４３２０」であり、８Ｋの解像度であることを表す。
【００２７】
映像スキャンフラグは、映像信号の走査方式を表す。具体的には、例えば、映像スキャンフラグの値が「０」である場合、映像信号はインターレース信号である。また、映像スキャンフラグの値が「１」である場合、映像信号はプログレッシブ信号である。
【００２８】
映像信号フレームレートは、映像信号のフレームレートを表す。映像信号フレームレートの値の設定例を図７に示す。図７に示す例では、映像信号フレームレートの値が「８」である場合、映像信号のフレームレートは「６０／１．００１」［Ｈｚ］である。また、映像信号フレームレートの値が「９」である場合、映像信号のフレームレートは「６０」［Ｈｚ］である。また、映像信号フレームレートの値が「１１」である場合、映像信号のフレームレートは「１２０／１．００１」［Ｈｚ］である。また、映像信号フレームレートの値が「１２」である場合、映像信号のフレームレートは「１２０」［Ｈｚ］である。従って、６０／Ｐサブビットストリームについての映像信号フレームレートの値は、「７」又は「８」である。また、１２０／Ｐサブセットについての映像信号フレームレートの値は、「１１」又は「１２」である。
【００２９】
［ＭＨ−コンポーネントグループ記述子のデータ構造］
次に、ＭＨ−コンポーネントグループ記述子について説明する。
図８は、ＭＨ−コンポーネントグループ記述子のデータ構造を示す概略図である。
図８に示す例では、ＭＨ−コンポーネントグループ記述子（MH-Component_Group_Descriptor()）は、コンポーネントグループ種別（component_group_type）と、グループ数（number_of_group）と、コンポーネントタグ値（component_tag）と、コンポーネントグループ記述（text_char）とを含む。
【００３０】
コンポーネントグループ種別には、本記述子で指定されるコンポーネントグループの種別を示す符号が記述される。具体的には、例えば、放送システム１によりサイマル放送サービスが提供される場合、コンポーネントグループ種別には、サイマル放送を示す符号が記述される。この符号は、例えば、３桁の数字で表現され、放送サービスごとに異なる符号が予め割当てられている。
グループ数には、イベント内でのコンポーネントグループの数、すなわち、そのサイマル映像群に含まれるサイマル映像の数が記述される。具体的には、例えば、図１に示す例では、サイマル映像の数は３つであるため、グループ数の値は「３」である。
コンポーネントタグ値には、各コンポーネントグループに属するコンポーネント、つまり構成要素となるデータを指示するコンポーネントタグ値が記述される。コンポーネント記述には、各コンポーネントグループに関する説明を表すテキストが記述される。
なお、「…識別」とは、その事物を識別する情報を意味し、「識別子」とも呼ばれる。
【００３１】
［受信装置の機能構成］
次に、受信装置１０の機能構成について説明する。
図９は、本実施形態に係る受信装置１０の機能構成の一例を示すブロック図である。
受信装置１０は、放送受信部１１と、通信部１２と、音声出力部１４と、表示部１５と、記憶部１６と、制御部１７と、を含んで構成される。制御部１７は、復調部１７１と、分離部１７２と、音声処理部１７３と、表示処理部１７４と、を含んで構成される。また、表示処理部１７４は、選択部１７５と、映像処理部１７６とを含んで構成される。また、選択部１７５は、映像フォーマット特定部１７５１と、映像順位特定部１７５２と、選択決定部１７５３とを含んで構成される。
【００３２】
放送受信部１１は、チャンネル切替のチューナーを含む。放送受信部１１は、放送側送信装置２０から送出された放送波を受信する。放送受信部１１は、受信した放送波に含まれる放送信号を復調部１７１に出力する。
通信部１２は、ネットワークインターフェースを含み、ネットワークＮＷ（図３）に接続する。通信部１２は、ネットワークＮＷに接続する他の装置との間で情報を送受信する。
【００３３】
操作受付部１３は、赤外線通信用インターフェースを含み、リモートコントローラＲＣと通信する。操作受付部１３は、リモートコントローラＲＣに対してユーザから入力された操作を受け付け、受信装置１０の電源ＯＮ／ＯＦＦの切替指示、チャンネルの切替指示などの情報を制御部１７に出力する。また、操作受付部１３は、受信装置１０の筐体に設けられたスイッチを介してユーザから入力された操作を受け付けることができる。
なお、操作受付部１３がユーザから受け付ける電源ＯＮ／ＯＦＦの切替操作、チャンネルの切替操作は、サイマル番組の表示操作の一例である。具体的には、例えば、受信装置１０の電源がＯＦＦになる直前まで表示していたチャンネルにおいて、電源ＯＮ操作の受け付け時にサイマル番組が放送されている場合にサイマル番組の表示が行われる。ここでは、一例として、チャンネルの切替操作により選択されたチャンネルにおいて、サイマル番組が提供されている場合について説明する。また、サイマル番組の表示操作とは、サイマル番組を選択する操作である。換言すると、サイマル番組の表示操作とは、サイマル映像群を選択する操作である。
【００３４】
音声出力部１４は、スピーカーを含む。音声出力部１４は、音声処理部１７３から取得した音声信号に基づいて音声を再生する。
表示部１５は、液晶ディスプレイ装置、有機ＥＬディスプレイ装置などのディスプレイ装置を含む。表示部１５は、表示処理部１７４から取得した映像信号に基づいて、番組の映像や電子番組表などの画像を表示する。
記憶部１６は、例えば、ＲＯＭ（Read Only Memory）、ＲＡＭ（Random Access Memory）を含み、その他に不揮発メモリ、ＨＤＤ（Hard Disk Drive）などを含むことができる。記憶部１６は、受信装置１０が含むＣＰＵ（Central Processing Unit）が実行するための各種プログラムやＣＰＵが実行した処理の結果などを記憶する。また、記憶部１６は、ビデオメモリを含み、表示部１５が表示する映像を示す映像信号を記憶する。また、記憶部１６は、優先度テーブルｉ４（図３）を記憶する。
【００３５】
ここで、図１０を参照して、優先度テーブルｉ４について説明する。
図１０は、本実施形態に係る優先度テーブルの一例を示す図である。
図１０に示す例において、優先度テーブルは、優先順位情報（優先順位）と、映像フォーマット情報（映像フォーマット）と、を含む。そして、優先度テーブルの個々のデータは、これらを互いに対応付けて構成される。
優先順位情報とは、サイマル映像の選択における映像フォーマットごとの優先順位を表す情報である。図１０に示す例において、優先順位情報の値は、数字により表され、数字の値が小さい程、高い優先順位を表す。
映像フォーマット情報とは、サイマル映像の映像フォーマットを表す情報である。図１０に示される例において、映像フォーマット情報は、例えば、解像度と、フレームレートと、走査方式とを示す情報が対応付けられた情報である。
【００３６】
例えば、図１０に示す例において、第２段目に登録されているデータは、優先順位情報が「１」であり、映像フォーマット情報が「８Ｋ：１２０ｐ」である。また、第６段目に登録されているデータは、優先順位情報「５」であり、映像フォーマット情報が「４Ｋ：１２０ｐ」である。従って、これらのデータは、「８Ｋ：１２０ｐ」のサイマル映像と、「４Ｋ：１２０ｐ」のサイマル映像との２つのサイマル映像によりサイマル番組が提供される場合、「８Ｋ：１２０ｐ」のサイマル映像の方が、表示における優先順位が高いことを表す。
なお、図１０に示される例では、映像フォーマットの各パラメータについて、解像度、フレームレート、走査方式の順に高い優先順位が対応付けられているが、これには限られない。具体的には、例えば、フレームレートに対して解像度よりも高い優先順位を対応付けてもよい。
【００３７】
図９に戻り、説明を続ける。制御部１７は、ＣＰＵを含み、受信装置１０の動作を制御する。
復調部１７１は、放送受信部１１から受信した放送信号を復調する。復調部１７１は、復調した放送信号を分離部１７２に出力する。
分離部１７２は、復調部１７１から取得した放送信号に含まれる各種情報を分離して、分離された各種情報を各機能部に出力する。具体的には、分離部１７２は、放送信号から第１サイマル映像とサイマル番組の音声とを分離する。分離部１７２は、例えば、後述する選択部１７５により第１サイマル映像が選択された場合に、第１サイマル映像の映像信号を分離して映像処理部１７６に出力する。また、分離部１７２は、ＭＭＴ−ＳＩの情報を随時分離して、選択部１７５に出力する。また、分離部１７２は、例えば、後述する選択部１７５により第２サイマル映像が選択された場合に、通信部１２を介して取得された情報から第２サイマル映像の映像信号を分離する。そして、分離部１７２は、分離した第２サイマル映像の映像信号を映像処理部１７６に出力する。
【００３８】
音声処理部１７３は、分離部１７２から音声信号を取得し、取得した音声信号を復号化する。音声処理部１７３は、復号化した音声信号を音声出力部１４に出力する。これにより、音声出力部１４は、番組の音声を再生する。
表示処理部１７４は、表示部１５における番組の映像の表示を制御する。
表示処理部１７４の選択部１７５は、操作受付部１３がチャンネル切替などにより、自装置にサイマル番組を表示させる操作を受け付けた場合に、そのサイマル番組についての複数のサイマル映像から、いずれか１つを選択する映像選択処理を実行する。選択部１７５は、映像選択処理により選択したサイマル映像を分離部１７２に分離させる。このサイマル映像が通信を介して提供される場合、選択部１７５は、通信部１２により当該サイマル映像を取得させる。
【００３９】
ここで、映像選択処理について説明する。
まず、選択部１７５は、操作受付部１３からサイマル番組を表示部１５に表示させる指示を受け付ける。次に、選択部１７５の映像フォーマット特定部１７５１は、分離部１７２が分離したＭＭＴ−ＳＩのうちＭＰＴを参照して、表示するサイマル番組について、複数のサイマル映像それぞれの映像フォーマットを特定する。具体的には、映像フォーマット特定部１７５１は、ＭＨ−コンポーネントグループ記述子のコンポーネントタグの値を参照し、表示するサイマル番組についてのサイマル映像のアセットを特定する。次に、選択部１７５は、そのアセットについて、映像コンポーネント記述子の映像信号解像度、映像スキャンフラグ、及び映像信号フレームレートの値を参照する。これにより、表示するサイマル番組について、複数のサイマル映像それぞれの映像フォーマットを特定する。
【００４０】
次に、選択部１７５の映像順位特定部１７５２は、記憶部１６に格納された優先度テーブルを参照し、各サイマル映像の映像フォーマットに対応する優先順位を特定する。次に、選択部１７５の選択決定部１７５３は、優先順位が最も高い映像フォーマットのサイマル映像を選択する。これにより、選択部１７５は、表示するサイマル番組について提供される複数のサイマル映像のうち、その精細度が最も高い映像を選択することができる。選択決定部１７５３が選択したサイマル映像に関する情報は分離部１７２に通知される。分離部１７２は、この情報に基づき該当するサイマル映像の映像信号を分離して映像処理部１７６へ転送する。
【００４１】
表示処理部１７４の映像処理部１７６は、分離部１７２から上述の転送に係る映像信号を取得し、取得した映像信号を復号化する。映像処理部１７６は、復号化した映像信号を表示部１５に出力する。これにより、表示部１５は、番組の映像を表示する。
【００４２】
［受信装置の動作］
次に、図１１を参照して、受信装置１０の動作について説明する。
図１１は、本実施形態に係る受信装置１０による処理の流れの一例を示すフローチャートである。
図１１では、ユーザによるサイマル番組の表示操作の受け付けについては、省略している。
【００４３】
（ステップＳ１０１）放送受信部１１は、放送波を受信する。その後、制御部１７は、復調部１７１でこの放送波を復調した後、分離部１７２を経て表示処理部１７４へ送る。次に、制御部１７は、ステップＳ１０２に処理を進める。
（ステップＳ１０２）表示処理部１７４の選択部１７５は、特にその映像フォーマット特定部１７５１は、放送波に含まれるＭＰＴの映像コンポーネント記述子を参照し、表示するサイマル番組について、複数のサイマル映像それぞれの映像フォーマット情報を検出する。その後、制御部１７は、ステップＳ１０３に処理を進める。
（ステップＳ１０３）選択部１７５の映像順位特定部１７５２は、受信装置１０の記憶部１６に格納された優先度テーブルを参照し、サイマル映像それぞれの映像フォーマット情報に対応する優先順位を特定する。その後、制御部１７は、ステップＳ１０４に処理を進める。
【００４４】
（ステップＳ１０４）選択部１７５の選択決定部１７５３は、映像フォーマットに基づいて、表示するサイマル映像を選択する。具体的には、制御部１７は、映像フォーマットの優先順位が高い映像フォーマットのサイマル映像を、表示対象の映像に選択する。このとき、表示対象の映像が、現在の放送メディアとは異なるメディアである場合は、選択部１７５は放送メディアの切り替えを行う。その後、制御部１７は、ステップＳ１０５に処理を進める。
（ステップＳ１０５）制御部１７は、選択した映像を表示する処理を開始する。具体的には、制御部１７は、選択部１７５が選択したサイマル映像の映像信号を分離部１７２において分離させる。そして、制御部１７は、分離させた映像信号を映像処理部１７６に転送し、映像処理部１７６での復号化処理の後に表示部１５に出力して表示させる。その後、制御部１７は、図１１に示される処理を終了する。
【００４５】
従来のアナログ放送からデジタル放送への移行期では、同じ番組がアナログ放送とデジタル放送とにより放送されていた。そして、受信装置がアナログ放送を受信している場合は、文字スーパーなどにより、アナログ放送が終了する旨やデジタル放送の受信を促す旨がアナウンスされていた。また、アナログ放送からデジタル放送への移行期では、アナログ放送とデジタル放送の両方を受信することができる受信装置も発売されていた。アナログ放送の番組を表示中に、同じデジタル放送の番組へ切り替えるには、ユーザ自身が一旦、放送メディアをデジタル放送に切り替える操作を行う操作が必要だった。さらに、ユーザは、アナログ放送と同じデジタル放送を探すために電子番組表（ＥＰＧ、Electronic Program Guide）の確認やチャンネル選局などの操作をする必要があり、手間がかかっていた。
【００４６】
しかしながら、本実施形態に係る受信装置１０は、サイマル番組の表示において、映像フォーマットが互いに異なる複数のサイマル映像のうちのいずれか１つを、優先度テーブルに基づいて選択して表示する。これにより、ユーザは、特別な操作を行うことなく、高精細な映像のサイマル番組を視聴することができる。従って、受信装置１０は、サイマル放送サービスにより提供される番組の表示における利便性を向上させることができる。
【００４７】
（第２の実施形態）
［放送システムの概要］
次に、本発明の第２の実施形態に係る放送システム１ｂについて説明する。以下では、第１の実施形態と同一の構成（部材）については、同一の符号を付して説明を援用する。
第２の実施形態に係る放送システム１ｂ（不図示）は、第１の実施形態に係る放送システム１（図３）における受信装置１０（図３）に代えて受信装置１０ｂ（不図示）を備える。
また、第２の実施形態に係る受信装置１０ｂは、第１の実施形態に係る受信装置１０（図９）における制御部１７（図９）に代えて、制御部１７ｂ（不図示）を備える。また、本実施形態に係る制御部１７ｂは、第１の実施形態に係る制御部１７における選択部１７５（図９）に代えて、選択部１７５ｂ（不図示）を備える。
【００４８】
本実施形態に係る受信装置１０ｂは、第１の実施形態に係る受信装置１０と同様に、サイマル番組の表示において、複数のサイマル映像のうちのいずれか１つを選択する。ただし、受信装置１０がＭＰＴを参照してサイマル映像の選択を行ったのに対し、受信装置１０ｂは、ＭＨ−イベント情報テーブル（ＭＨ−ＥＩＴ）を参照してサイマル映像の選択を行う点が異なっている。なお、ＭＨ−ＥＩＴは、ＭＭＴ−ＳＩに含まれる。
【００４９】
［ＭＨ−イベント情報テーブル（ＭＨ−ＥＩＴ）のデータ構造］
次に、ＭＨ−ＥＩＴについて説明する。
ＭＨ−ＥＩＴは、放送側送信装置２０と通信側送信装置３０とにより送信される番組の名称、放送日時、放送内容の説明など、番組に関する情報を伝送するテーブルである。
図１２は、本実施形態に係るＭＨ−ＥＩＴのデータ構造の一例を示す図である。
図１２に示す例において、ＭＨ−ＥＩＴ（MH-Event_information_table()）は、イベント識別（event_ID）と、イベント識別ごとの記述子領域（Descriptor()）とを含む。
イベント識別とは、イベントの識別番号を示す。具体的には、例えば、イベント識別は、番組の識別情報を示す。
記述子領域は、記述子を格納する領域である。本実施形態に係るＭＨ−ＥＩＴは、例えば、映像コンポーネント記述子と、ＭＨ−コンポーネントグループ記述子を含むことができる。本実施形態に係る映像コンポーネント記述子と、ＭＨ−コンポーネントグループ記述子に含まれる情報は、第１の実施形態に係る映像コンポーネント記述子と、ＭＨ−コンポーネントグループ記述子と同様であるため、選択部１７５ｂは、ＭＨ−ＥＩＴの映像コンポーネント記述子と、ＭＨ−コンポーネントグループ記述子とを参照することにより、サイマル映像と、サイマル映像の映像フォーマットとを特定することができる。
【００５０】
［受信装置の動作］
次に、図１３を参照して、受信装置１０ｂの動作について説明する。
図１３は、本実施形態に係る受信装置１０ｂによる処理の流れの一例を示すフローチャートである。
図１３に示す受信装置１０ｂの動作は、ステップＳ１０１、Ｓ１０２ｂ、Ｓ１０３〜Ｓ１０５（図１１）の処理を含む。このうち、ステップＳ１０１、Ｓ１０３〜Ｓ１０５の処理は、図１１に示す処理と同様のため、説明を省略する。
図１３に示す例では、ステップＳ１０１の処理の後、制御部１７ｂは、ステップＳ１０２ｂに処理を進める。
【００５１】
（ステップＳ１０２ｂ）制御部１７ｂは、放送波に含まれるＭＨ−ＥＩＴの映像コンポーネント記述子を参照し、表示するサイマル番組について、複数のサイマル映像それぞれの映像フォーマット情報を検出する。その後、制御部１７ｂは、ステップＳ１０３に処理を進める。
【００５２】
以上説明したように、本実施形態に係る受信装置１０ｂは、サイマル番組について、複数のサイマル映像の映像フォーマットをＭＨ−ＥＩＴを参照することにより特定する。そして、受信装置１０は、表示するサイマル映像を映像フォーマットに基づいて選択する。これにより、ユーザは、特別な操作を行うことなく、高精細な映像のサイマル番組を視聴することができる。従って、受信装置１０は、サイマル放送サービスにより提供される番組の表示における利便性を向上させることができる。
【００５３】
（第３の実施形態）
次に、本発明の第３の実施形態に係る放送システム１ｃについて説明する。以下では、上述した実施形態と同一の構成については、同一の符号を付して説明を援用する。
本実施形態に係る放送システム１ｃ（不図示）は、第１の実施形態に係る放送システム１（図３）における受信装置１０（図３）に代えて受信装置１０ｃ（不図示）を備える。
また、本実施形態に係る受信装置１０ｃは、第１の実施形態に係る受信装置１０（図９）における制御部１７（図９）に代えて、制御部１７ｃ（不図示）を備える。また、本実施形態に係る制御部１７ｃは、第１の実施形態に係る制御部１７における選択部１７５（図９）に代えて、選択部１７５ｃ（不図示）を備える。
【００５４】
また、本実施形態において、記憶部１６には、通信能力の情報が記憶されている。
ここで、通信能力とは、通信側送信装置３０と受信装置１０との間における通信速度（例えば、bits per second(bps)）である。通信速度は、理論値と実測値とのいずれであってもよい。理論値である場合、通信速度は、例えば、ネットワークＮＷの回線速度である。実測値である場合、通信速度は、所定の期間において測定された実測値の最大値や平均値であってもよい。
【００５５】
本実施形態に係る受信装置１０ｃは、表示するサイマル番組についての複数のサイマル映像のうちのいずれか１つを、通信能力に基づいて選択して表示する。ここで、選択部１７５ｃによる映像選択処理のうち、第１の実施形態に係る選択部１７５とは異なる部分について説明する。
具体的には、選択部１７５ｃは、複数のサイマル映像のうち、通信を介して伝送されるサイマル映像を特定する。次に、選択部１７５ｃは、記憶部１６に記憶されている通信能力の情報と、映像コンポーネント記述子から検出される映像フォーマット情報とに基づいて、通信を介して伝送されるサイマル映像のうち、遅延なく取得できるサイマル映像を特定する。次に、選択部１７５ｃは、優先度テーブルを参照して、通信を介して遅延なく取得できる１つ又は複数のサイマル映像と、放送を介して取得できるサイマル映像とのうち、精細度が最も高いサイマル映像を表示対象として選択する。これにより、受信装置１０ｃは、通信側送信装置３０により送信されるサイマル映像のうち、自装置が遅延なく取得することができないサイマル映像を、表示対象から除外することができる。
【００５６】
なお、選択部１７５ｃは、通信を介して伝送されるサイマル映像が遅延なく取得できるか否かを、例えば、映像フォーマットと通信速度とを対応付けたテーブルに基づいて判定する。このテーブルでは、例えば、通信速度ごとに、遅延なく取得可能な映像フォーマットが対応付けられている。選択部１７５ｃは、このテーブルを参照し、記憶部１６から読み出した通信速度において、サイマル映像が遅延なく取得できるか否かを判定する。
【００５７】
（第４の実施形態）
次に、本発明の第４の実施形態に係る放送システム１ｄについて説明する。以下では、上述した実施形態と同一の構成については、同一の符号を付して説明を援用する。
第４の実施形態に係る放送システム１ｄ（不図示）は、第１の実施形態に係る放送システム１（図３）における受信装置１０（図３）に代えて受信装置１０ｄ（不図示）を備える。
また、第４の実施形態に係る受信装置１０ｄは、第１の実施形態に係る受信装置１０（図９）における制御部１７（図９）に代えて、制御部１７ｄ（不図示）を備える。また、第４の実施形態に係る制御部１７ｄは、第１の実施形態に係る制御部１７における選択部１７５（図９）に代えて、選択部１７５ｄ（不図示）を備える。
【００５８】
また、第４の実施形態において、記憶部１６には、受信装置１０ｄの表示能力の情報が記憶されている。
ここで、表示能力とは、表示部１５に含まれるディスプレイの解像度、リフレッシュレートなどの表示部１５の性能である。
【００５９】
本実施形態に係る受信装置１０ｄは、表示するサイマル番組についての複数のサイマル映像のうちのいずれか１つを、自装置の表示能力に基づいて選択して表示する。具体的には、選択部１７５ｄは、記憶部１６に記憶されている表示能力の情報と、映像コンポーネント記述子から検出される映像フォーマット情報とに基づいて、表示するサイマル番組についての複数のサイマル映像のうち、自装置の表示能力を超えないサイマル映像を特定する。次に、選択部１７５ｄは、優先度テーブルを参照して、自装置の表示能力を超えないサイマル映像のうち、精細度が最も高いサイマル映像を表示対象として選択する。これにより、受信装置１０ｄは、自装置の表示能力を超えているサイマル映像を、表示対象から除外することができる。
【００６０】
［第４の実施形態の変形例］
第４の実施形態の変形例において、記憶部１６は、上述した第１の実施形態に係る優先度テーブルとは異なる優先度テーブルを記憶する。
図１４は、変形例に係る優先度テーブルを示す図である。
図１４に示す優先度テーブルにおいて、優先度テーブルは、優先順位情報（優先順位）と、映像フォーマット情報（映像フォーマット）と、表示能力情報（表示能力）と、を含む。そして、優先度テーブルの個々のデータは、これらを互いに対応付けて構成される。
【００６１】
図１４に示す例において、優先順位情報と映像フォーマット情報（映像フォーマット）は、第１の実施形態に関して説明をしたものである。
表示能力情報は、第４の実施形態に関して説明をしたものであり、対応する映像フォーマットを、自装置が表示する性能があるか否かを表す情報である。図１４に示す例において、表示能力情報は、フラグで示されている。具体的には、表示する性能がある場合、表示能力情報の値は「１」であり、表示する性能がない場合、表示能力情報の値は「０」である。つまり、表示能力情報の値が「１」であれば、映像フォーマットは受信装置１０ｄの表示能力を超えることがない。これに対し、表示能力情報の値が「０」であれば、映像フォーマットは、受信装置１０ｄの表示能力を超えている。
【００６２】
次に、図１４に示す優先度情報の例における映像選択処理について説明する。
例えば、優先順位が「１」である映像フォーマット「８Ｋ：１２０ｐ」は、表示能力情報の値が「０」である。そのため、映像フォーマット「８Ｋ：１２０ｐ」のサイマル映像は、制御部１７ｄの選択部１７５ｄにより選択されることがない。また、例えば、優先順位が「７」である映像フォーマット「４Ｋ：６０ｐ」は、表示能力情報の値が「１」である。そのため、映像フォーマット「４Ｋ：６０ｐ」のサイマル映像は、制御部１７ｄの選択部１７５ｄにより選択されることがある。このように、選択決定部１７５３ｄは、表示能力情報の値が「１」である映像フォーマットのうちで優先順位がもっとも高いものを決定する。
この変形例によれば、第４の実施形態のものに比して、所要のテーブルが１つで済む利点がある。
【００６３】
［受信装置のハードウェア構成］
次に、上述した各実施形態における受信装置１０〜１０ｄのハードウェア構成について説明する。以下では、受信装置１０〜１０ｄを、受信装置１０ｓと総称する。
図１５は、本実施形態に係る受信装置１０ｓのハードウェア構成の一例を示すブロック図である。
受信装置１０ｓは、ＣＰＵ１００、ＲＯＭ１００１、ＲＡＭ１００２、不揮発メモリ１００３、チューナー（Tuner）１０１、ネットワークインターフェース（Network I/F）１０２、復調モジュール（Decrypt）１０３、分離モジュール（Demux）１０４、音声復号モジュール（Audio Decoder）１０５、スピーカー１０６、映像復号モジュール（Video Decoder）１０７、描画モジュール１０８、ビデオメモリ１０８１、及びディスプレイ１０９を含んで構成される。
ＣＰＵ１００と、記憶媒体１００１と、チューナー１０１と、ネットワークインターフェース１０２と、復調モジュール１０３と、分離モジュール１０４と、音声復号モジュール１０５と、映像復号モジュール１０７と、描画モジュール１０８と、ビデオメモリ１０８１とは、バスＢ（母線）を介して相互に接続される。
【００６４】
ＣＰＵ１００は、プログラム、各種データを読み出して、当該ＣＰＵ１００を備える自装置を制御する。ＲＯＭ１００１は、例えば、プログラムを記憶する記憶媒体である。ＲＡＭ１００２は、例えば、各種データ、プログラムを一時的に記憶する記憶媒体である。不揮発メモリは、ＨＤＤ、フラッシュメモリなどの記憶媒体であり、例えば、各種データを記憶する。
【００６５】
ＣＰＵ１００が読み出すプログラムは、ＲＯＭ１００１に記憶されている一例を示したが、他の記憶媒体に記憶されていてもよいし、ネットワークＮＷからダウンロードされたものであってもよい。ＣＰＵはプログラムを実行することで機能部材（図９）の機能を実現する。ＣＰＵ１００が読み出す各種データは、不揮発メモリに記憶されている一例を示したが、ＲＯＭ１００１に記憶されていてもよいし、ネットワークＮＷからダウンロードした各種データであってもよい。
【００６６】
チューナー１０１は、放送波を受信する。ネットワークインターフェース１０２は、通信用インターフェースを有し、有線又は無線によりネットワークＮＷに接続される。復調モジュール１０３は、放送信号を復調する。分離モジュール１０４は、放送信号から各種データを分離する。音声復号モジュール１０５は、符号化された音声信号を復号化する。映像復号モジュール１０７は、符号化された映像信号を復号化する。ビデオメモリは、ディスプレイ１０９に表示される画像情報を記憶する。描画モジュール１０８は、ビデオメモリへの画像情報の書き込みと、ディスプレイ１０９への映像信号の出力とを制御する。
【００６７】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Real-time Transport Protocol）方式をメディアトランスポート方式に用いてもよい。ＭＰＥＧ−２  ＴＳ方式の場合、伝送制御信号は、例えば、ＰＳＩ（番組特定情報、Program Specific Information）／ＳＩ（サービス情報、Service Information）情報である。
なお、上述した各実施形態では、伝送制御信号が放送を介して伝送される例について説明したが、これには限られない。具体的には、伝送制御信号は、通信を介して伝送されてもよい。
【００６８】
なお、通信側送信装置３０とネットワークＮＷとは、必ずしも放送システム１に含まれなくてもよい。この場合、放送システム１〜１ｄは、図１に示す例のように、同一のサイマル映像群に含まれる複数のサイマル映像を、放送を介して伝送する。
なお、映像フォーマットには、上述した以外のパラメータが含まれてもよい。具体的には、例えば、アスペクト比の情報が映像フォーマットのパラメータとして含まれてもよい。また、選択部１７５〜１７５ｄは、上述した映像フォーマットのうち、全てのパラメータに基づいて、サイマル映像を選択しなくてもよい。例えば、選択部１７５〜１７５ｄは、解像度のみに基づいて、表示するサイマル映像を選択してもよい。また、優先度情報は、ユーザにより予め定められていてもよいし、受信装置１０の製造元により予め定められてもよい。
【００６９】
また、受信装置１０ｓは、サイマル番組についての複数のサイマル映像のうち、表示するサイマル映像をユーザに選択させてもよい。この場合、例えば、提供されているサイマル映像の表示における優先順位を優先度テーブルに基づいて表示し、選択させてもよい。
【００７０】
なお、上述した各実施形態における受信装置１０ｓの一部、例えば、制御部１７〜１７ｄ及びその一部などをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、受信装置１０ｓに内蔵されたコンピュータシステムであって、ＯＳ（Operating System）や周辺機器等のハードウェアを含むものとする。
【００７１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７２】
また、上述した実施形態における受信装置１０ｓの一部、又は全部を、ＬＳＩ（Large Scale Integration）等の集積回路として実現してもよい。受信装置１０の各機能部は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００７３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７４】
１、１ｂ、１ｃ、１ｄ…放送システム、１０、１０ｂ、１０ｃ、１０ｄ、１０ｓ…受信装置、２０…送信装置、３０…通信側送信装置、ＢＳ…放送衛星、ＮＷ…ネットワーク、１１…放送受信部、１２…通信部、１４…音声出力部、１５…表示部、１６…記憶部、１７、１７ｂ、１７ｃ、１７ｄ…制御部、１７１…復調部、１７２…分離部、１７３…音声処理部、１７４…表示処理部、１７５、１７５ｂ、１７５ｃ、１７５ｄ…選択部、１７６…映像処理部、１７５１…映像フォーマット特定部、１７５２…映像順位特定部、１７５３…決定部
【図１】
0006604719.tif 000002
【図２】
0006604719.tif 000003
【図３】
0006604719.tif 000004
【図４】
0006604719.tif 000005
【図５】
0006604719.tif 000006
【図６】
0006604719.tif 000007
【図７】
0006604719.tif 000008
【図８】
0006604719.tif 000009
【図９】
0006604719.tif 000010
【図１０】
0006604719.tif 000011
【図１１】
0006604719.tif 000012
【図１２】
0006604719.tif 000013
【図１３】
0006604719.tif 000014
【図１４】
0006604719.tif 000015
【図１５】
0006604719.tif 000016